(57)【特許請求の範囲】
【請求項１】
ディスクから情報を読み取るドライブ部、ドライブ部によって読み取られたビットストリームを、再生制御情報、ビデオ情報、サブピクチャ情報および音声情報にデマルチプレクサし、それらの各情報をデコードするＡＶデコーダ、ＡＶデコーダによってデコードされた上記各情報を一時的に記憶するデコード済情報記憶メモリ、ならびにデコード済情報記憶メモリに記憶された各情報に基づいて、ビデオ信号およびオーディオ信号を出力する手段を備えている光ディスク再生装置において、
動作モードとして、サブピクチャ情報を映像・音声とは無関係に再生するサブピクチャ再生モードを指定させるためのサブピクチャ再生モード指定キー、
サブピクチャ再生モード時において、サブピクチャ情報を所定の再生方向に駒送りするための駒送りキー、
通常再生モードによってビデオ信号およびオーディオ信号が再生されている場合に、サブピクチャ再生モード指定キーが操作されたときには、ビデオ信号およびオーディオ信号の再生を中断させるとともに、動作モードをサブピクチャ再生モードに移行させる手段、ならびに
サブピクチャ再生モード時において、駒送りキーが操作される毎に、サブピクチャ情報を所定の再生方向に駒送りさせるサブピクチャ再生手段を備えており、
サブピクチャ再生手段は、
現在表示されているサブピクチャ情報の次に表示されるべきサブピクチャ・ユニットがデコード済情報記憶メモリに格納されているか否かを判別する第１手段、
第１手段により、次に表示されるべきサブピクチャ・ユニットがデコード済情報記憶メモリに格納されていると判別されたときには、デコード済情報記憶メモリに記憶されている次に表示されるべきサブピクチャ・ユニット内のサブピクチャ情報を表示させる第２手段、
第１手段により、次に表示されるべきサブピクチャ・ユニットがデコード済情報記憶メモリに格納されていないと判別されたときには、次に表示されるべきサブピクチャ・ユニットを取得するために、ディスクからサブピクチャパックを読み取ってデコードし、得られたサブピクチャ・ユニットをデコード済情報記憶メモリに格納する第３手段、ならびに  第３手段により所定数のサブピクチャ・ユニットがデコード済情報記憶メモリに蓄積されたときには、第３手段による処理を停止させ、デコード済情報記憶メモリに記憶されている次に表示されるべきサブピクチャ・ユニット内のサブピクチャ情報を表示させる第４手段を備えていることを特徴とする光ディスク再生装置。
【請求項２】
ディスクから情報を読み取るドライブ部、ドライブ部によって読み取られたビットストリームを、再生制御情報、ビデオ情報、サブピクチャ情報および音声情報にデマルチプレクサし、それらの各情報をデコードするＡＶデコーダ、ＡＶデコーダによってデコードされた上記各情報を一時的に記憶するデコード済情報記憶メモリ、ならびにデコード済情報記憶メモリに記憶された各情報に基づいて、ビデオ信号およびオーディオ信号を出力する手段を備えている光ディスク再生装置において、
動作モードとして、サブピクチャ情報を映像・音声とは無関係に再生するサブピクチャ再生モードを指定させるためのサブピクチャ再生モード指定キー、
通常再生モードによってビデオ信号およびオーディオ信号が再生されている場合に、サブピクチャ再生モード指定キーが操作されたときには、ビデオ信号およびオーディオ信号の再生を中断させるとともに、動作モードをサブピクチャ再生モードに移行させる手段、 サブピクチャ再生モード時には、所定時間毎にサブピクチャ情報を所定の再生方向に駒送りさせるサブピクチャ再生手段を備えており、
サブピクチャ再生手段は、
現在表示されているサブピクチャ情報の次に表示されるべきサブピクチャ・ユニットがデコード済情報記憶メモリに格納されているか否かを、所定時間毎に判別する第１手段、 第１手段により、次に表示されるべきサブピクチャ・ユニットがデコード済情報記憶メモリに格納されていると判別されたときには、デコード済情報記憶メモリに記憶されている次に表示されるべきサブピクチャ・ユニット内のサブピクチャ情報を表示させる第２手段、
第１手段により、次に表示されるべきサブピクチャ・ユニットがデコード済情報記憶メモリに格納されていないと判別されたときには、次に表示されるべきサブピクチャ・ユニットを取得するために、ディスクからサブピクチャパックを読み取ってデコードし、得られたサブピクチャ・ユニットをデコード済情報記憶メモリに格納する第３手段、ならびに 第３手段により所定数のサブピクチャ・ユニットがデコード済情報記憶メモリに蓄積されたときには、第３手段による処理を停止させ、デコード済情報記憶メモリに記憶されている次に表示されるべきサブピクチャ・ユニット内のサブピクチャ情報を表示させる第４手段を備えていることを特徴とする光ディスク再生装置。
【発明の詳細な説明】
【０００１】
【発明の属する技術分野】
この発明は、ＤＶＤプレーヤ等の光ディスク再生装置に関する。
【０００２】
【従来の技術】
圧縮された映像信号や音声信号からなるビットストリームが記録された記録媒体からビットストリームを読み取り、読み取ったビットストリームを元の映像記号や音声信号にデコードして、再生を行なう光ディスク再生装置が既に開発されていることは周知のことである。光ディスク再生装置との１つとして、ＤＶＤプレーヤがある。
【０００３】
図４は、ＤＶＤディスクに記録されている情報の概略図を示している。図４において、ビットストリームとしてVOBU（ビデオ・オブジェクト・ユニット）４１〜４９が並んでいる。
【０００４】
図５は、VOBUの詳細を示している。VOBUは、NV＿PCK(ナビパック；６１）、A ＿PCK(オーディオパック；６１ａ，６２ａ…）、V ＿PCK(ビデオパック；６１ｂ，６１ｃ，６１ｄ，６２ｂ，６２ｃ，６２ｄ…）、SP＿PCK(サブピクチャパック；６１e ，６２e …）から構成されている。
【０００５】
図６は、図５に示すVOBU内のNV＿PCK(ナビパック）の詳細を示している。
【０００６】
NV＿PCK は、PCI(再生制御情報; ８１）と、DSI(データ・サーチ情報; ８２）とから構成されている。DSI は、さらに、DSI 一般情報８３、シームレス用再生情報８４、シームレス用アングル情報８５、VOBUサーチ情報８６および同期情報８７から構成されている。同期情報８７は、対象オーディオ・パック８８および対象サブピクチャ・パック用VOBU先頭アドレス８９から構成されている。
【０００７】
サブピクチャ情報（たとえば、字幕情報）は、図７に示すように、複数のSP＿PCK から生成されるSPU(サブピクチャ・ユニット) ９０と呼ばれるアクセス・ユニット毎に表示される。SPU ９０は、サブピクチャ・ユニット・ヘッダ９１、完全なビットマップからなるピクセルデータ９２および表示コマンドであるサブピクチャ表示制御シーケンス・テーブル９３から構成される。
【０００８】
ところで、一般的に、あるVOBU内のビデオ情報に対応するサブピクチャ情報は、そのVOBUより前位置にあるVOBU内に記録されている。また、字幕情報としては、１言語の字幕だけではなく、複数種類の言語の字幕が用意されていることもある。ただし、再生時には、ユーザによって選択された１つの言語の字幕が表示される。
【０００９】
VOBU内のNV＿PCK には、図６に示すように、当該VOBU内のビデオ情報に対応するサブピクチャ情報が存在する場合には、そのサブピクチャ情報が記録されているVOBUの先頭アドレス（サブピクチャ・パック用VOBU先頭アドレス）が記録される。
【００１０】
説明の便宜上、ここでは、サブピクチャ情報は字幕情報であるとする。複数の言語の字幕情報が記録されている場合には、各言語毎にそれが含まれているVOBUの先頭アドレスがヘッダ情報に記録される。ただし、上述したように、再生時においては、ユーザによって選択された１つの言語の字幕に対するサブピクチャ情報のみが表示される。
【００１１】
【発明が解決しようとする課題】
日本で発売されている米ハリウッド映画を記録したＤＶＤの場合、その多くは、オリジナルの英語音声、吹き替えの日本語音声の他、サブピクチャ情報として、英語字幕及び日本語字幕を有している。ユーザは、英語音声と日本語字幕との組み合わせ、日本語音声と英語字幕との組み合わせ等、音声と字幕とを自由に組み合わせて映画を楽しむことができる。
【００１２】
ところで、ユーザとしては、たとえば、外国の映画を語学学習で重要なヒアリング力を養う目的で視聴するにあたって、事前に字幕のみを見てストーリーの概略を把握しておきたい場合がある。しかしなから、従来のＤＶＤプレーヤでは、サブピクチャ情報は、映像・音声の進捗に同期しビデオ出力されるため、サブピクチャ情報を映像・音声とは無関係に再生することはできなかった。
【００１３】
この発明は、サブピクチャ情報を映像・音声とは無関係に再生することができる光ディスク再生装置を提供することを目的とする。
【００１４】
【課題を解決するための手段】
この発明による第１の光ディスク再生装置は、ディスクから情報を読み取るドライブ部、ドライブ部によって読み取られたビットストリームを、再生制御情報、ビデオ情報、サブピクチャ情報および音声情報にデマルチプレクサし、それらの各情報をデコードするＡＶデコーダ、ＡＶデコーダによってデコードされた上記各情報を一時的に記憶するデコード済情報記憶メモリ、ならびにデコード済情報記憶メモリに記憶された各情報に基づいて、ビデオ信号およびオーディオ信号を出力する手段を備えている光ディスク再生装置において、動作モードとして、サブピクチャ情報を映像・音声とは無関係に再生するサブピクチャ再生モードを指定させるためのサブピクチャ再生モード指定キー、サブピクチャ再生モード時において、サブピクチャ情報を所定の再生方向に駒送りするための駒送りキー、通常再生モードによってビデオ信号およびオーディオ信号が再生されている場合に、サブピクチャ再生モード指定キーが操作されたときには、ビデオ信号およびオーディオ信号の再生を中断させるとともに、動作モードをサブピクチャ再生モードに移行させる手段、ならびにサブピクチャ再生モード時において、駒送りキーが操作される毎に、サブピクチャ情報を所定の再生方向に駒送りさせるサブピクチャ再生手段を備えており、サブピクチャ再生手段は、現在表示されているサブピクチャ情報の次に表示されるべきサブピクチャ・ユニットがデコード済情報記憶メモリに格納されているか否かを判別する第１手段、第１手段により、次に表示されるべきサブピクチャ・ユニットがデコード済情報記憶メモリに格納されていると判別されたときには、デコード済情報記憶メモリに記憶されている次に表示されるべきサブピクチャ・ユニット内のサブピクチャ情報を表示させる第２手段、第１手段により、次に表示されるべきサブピクチャ・ユニットがデコード済情報記憶メモリに格納されていないと判別されたときには、次に表示されるべきサブピクチャ・ユニットを取得するために、ディスクからサブピクチャパックを読み取ってデコードし、得られたサブピクチャ・ユニットをデコード済情報記憶メモリに格納する第３手段、ならびに第３手段により所定数のサブピクチャ・ユニットがデコード済情報記憶メモリに蓄積されたときには、第３手段による処理を停止させ、デコード済情報記憶メモリに記憶されている次に表示されるべきサブピクチャ・ユニット内のサブピクチャ情報を表示させる第４手段を備えていることを特徴とする。
【００１５】
この発明による第２の光ディスク再生装置は、ディスクから情報を読み取るドライブ部、ドライブ部によって読み取られたビットストリームを、再生制御情報、ビデオ情報、サブピクチャ情報および音声情報にデマルチプレクサし、それらの各情報をデコードするＡＶデコーダ、ＡＶデコーダによってデコードされた上記各情報を一時的に記憶するデコード済情報記憶メモリ、ならびにデコード済情報記憶メモリに記憶された各情報に基づいて、ビデオ信号およびオーディオ信号を出力する手段を備えている光ディスク再生装置において、動作モードとして、サブピクチャ情報を映像・音声とは無関係に再生するサブピクチャ再生モードを指定させるためのサブピクチャ再生モード指定キー、通常再生モードによってビデオ信号およびオーディオ信号が再生されている場合に、サブピクチャ再生モード指定キーが操作されたときには、ビデオ信号およびオーディオ信号の再生を中断させるとともに、動作モードをサブピクチャ再生モードに移行させる手段、サブピクチャ再生モード時には、所定時間毎にサブピクチャ情報を所定の再生方向に駒送りさせるサブピクチャ再生手段を備えており、サブピクチャ再生手段は、現在表示されているサブピクチャ情報の次に表示されるべきサブピクチャ・ユニットがデコード済情報記憶メモリに格納されているか否かを、所定時間毎に判別する第１手段、第１手段により、次に表示されるべきサブピクチャ・ユニットがデコード済情報記憶メモリに格納されていると判別されたときには、デコード済情報記憶メモリに記憶されている次に表示されるべきサブピクチャ・ユニット内のサブピクチャ情報を表示させる第２手段、第１手段により、次に表示されるべきサブピクチャ・ユニットがデコード済情報記憶メモリに格納されていないと判別されたときには、次に表示されるべきサブピクチャ・ユニットを取得するために、ディスクからサブピクチャパックを読み取ってデコードし、得られたサブピクチャ・ユニットをデコード済情報記憶メモリに格納する第３手段、ならびに 第３手段により所定数のサブピクチャ・ユニットがデコード済情報記憶メモリに蓄積されたときには、第３手段による処理を停止させ、デコード済情報記憶メモリに記憶されている次に表示されるべきサブピクチャ・ユニット内のサブピクチャ情報を表示させる第４手段を備えていることを特徴とする。
【００１７】
【発明の実施の形態】
以下、この発明をＤＶＤプレーヤに適用した場合の実施の形態について説明する。
【００１８】
図１は、ＤＶＤプレーヤの構成を示している。
【００１９】
ドライブ部１はディスクから情報を読み取る。ドライブ部１によって読み取られたビットストリームは、ＡＶデコーダ２に送られる。
【００２０】
ＡＶデコーダ２は、ドライブ部１から送られてくるビットストリームを内部のＤＥＭＵＸ（デマルチプレクサ）によってＰＣＩ情報（再生制御情報）、ビデオ情報、サブピクチャ情報及び音声情報にデマルチプレクスし、それぞれをＰＣＩデコーダ、ビデオ・デコーダ、サブピクチャ・デコーダ、オーディオ・デコーダによってデコードする。デコードされた各情報は、ＣＰＵ６が読み出し可能なＡＶデコーダ内部のメモリ３に記憶される。
【００２１】
デコードされたオーディオ信号、ビデオ信号およびサブピクチャ信号は、予め定められた転送タイミングによって同期が取られ、オーディオ信号はオーディオ出力され、ビデオ信号とサブピクチャ信号とは、ビデオミキサー７に送信される。
【００２２】
ユーザからの操作信号（リモコンからのリモコン信号及びキー入力信号）は、ユーザインタフェース部４を介して、ＣＰＵ６に入力される。オンスクリーン生成部５は、ＣＰＵ６の指示に従って図形情報を生成して、ビデオミキサー７に送る。ビデオミキサー７は、ＡＶデコーダ２から送られてきたビデオ信号およびサブピクチャ信号と、オンスクリーン生成部５から送られてきた図形情報とを１つのビデオ信号にミキシングして、ビデオ出力する。
【００２３】
この実施の形態では、ＤＶＤプレーヤは、サブピクチャ情報を映像・音声とは無関係に再生することができる機能を備えている。サブピクチャ情報を映像・音声とは無関係に再生する動作モードをサブピクチャ再生モードということにする。
【００２４】
この実施の形態では、リモコン上には、上下左右のカーソルキーの他、動作モードをサブピクチャ再生モードに設定さるためのサブピクチャ再生モード指定キーおよびサブピクチャ再生モードを終了させるための終了キーが設けられているものとする。
【００２５】
図２は、サブピクチャ再生モード時のＤＶＤプレーヤの動作を示している。
ＤＶＤディスクからビデオ信号およびオーディオ信号が再生されている場合において、サブピクチャ再生モード指定キーが操作され、その操作命令がＣＰＵ６に入力されると（ステップ１）、ＣＰＵ６はビデオ信号およびオーディオ信号の再生を一時中断させる（ステップ２）。
【００２６】
ユーザは、サブピクチャ情報（字幕情報）を順方向に表示させたい場合には、右方向（順方向）カーソルキーを操作する。この場合には、後述するように、右方向カーソルキーが操作される毎に、サブピクチャ情報が順方向に駒送りされる。
【００２７】
また、ユーザは、サブピクチャ情報（字幕情報）を逆方向に表示させたい場合には、左方向（逆方向）カーソルキーを操作する。この場合には、後述するように、左方向カーソルキーが操作される毎に、サブピクチャ情報が逆方向に駒送りされる。なお、ユーザは、サブピクチャ再生モードを解除した場合には、終了キーを操作する。
【００２８】
上記ステップ２の後、ユーザによって、操作キーが操作されると（ステップ３）、ＣＰＵ６は、右方向（順方向）カーソルキーが操作されたか、左方向（逆方向）カーソルキーが操作されたか、終了キーが操作されたか、それ以外のキーが操作されたかを判定する（ステップ４、５、６）。
【００２９】
右方向（順方向）カーソルキーが操作されたと判定した場合には、ＣＰＵ６は、現在表示されているサブピクチャ情報より１つ後に表示されるべきSPU （サブピクチャ・ユニット）がメモリ３内に格納されているか否かを判定する（ステップ７）。現在表示されているサブピクチャ情報より１つ後に表示されるべきSPU （サブピクチャ・ユニット）がメモリ３内に格納されている場合には、ＣＰＵ６は、現在表示されているサブピクチャ情報より１つ後に表示されるべきSPU 内のサブピクチャ情報をビデオミキサー７に出力した後（ステップ１０）、ステップ３に戻る。ビデオミキサー７は、ビデオ信号にサブピクチャ情報をミキシングして出力する。
【００３０】
なお、メモリ３には、図３に示すように、所定数のSPU を格納するための領域（格納番号１〜ｎ）が設けられている。格納番号１〜ｎには、ディスクから読み取られた複数のSP＿PCK がデコードされることによって生成されるSPU が循環的に格納される。
【００３１】
上記ステップ７において、現在表示されているサブピクチャ情報より１つ後に表示されるべきSPU （サブピクチャ・ユニット）がメモリ３内に格納されていないと判定した場合には、ＣＰＵ６は、現在表示されているサブピクチャ情報より後のSPU を取得するために、順方向にディスクからのSP＿PCK を読み取りおよびSP＿PCK のデコードを行ない（ステップ８）、得られたSPU をメモリ３に格納する（ステップ９）。これらの処理は、メモリ３内に未だ読み出されてないSPU ( 未読み出しSPU ）が、所定数蓄積されるまで、行なわれる。
【００３２】
未読み出しSPU が、所定数蓄積されると、ＣＰＵ６は、次に表示すべきSPU 内のサブピクチャ情報をビデオミキサー７に出力した後（ステップ１０）、ステップ３に戻る。
【００３３】
したがって、サブピクチャ再生モード指定キーが操作された後、右方向（順方向）カーソルキーが操作される毎に、サブピクチャ情報が順方向に駒送り表示される。そして、終了キーが操作されると（ステップ６）、今回のサブピクチャ再生モード処理は終了する。
【００３４】
上記ステップ３の後、左方向（逆方向）カーソルキーが操作されたと判定した場合には、ＣＰＵ６は、現在表示されているサブピクチャ情報の１つ前に表示されるべきSPU （サブピクチャ・ユニット）がメモリ３内に格納されているか否かを判定する（ステップ１１）。現在表示されているサブピクチャ情報の１つ前に表示されるべきSPU （サブピクチャ・ユニット）がメモリ３内に格納されている場合には、ＣＰＵ６は、現在表示されているサブピクチャ情報の１つ前に表示されるべきSPU 内のサブピクチャ情報をビデオミキサー７に出力した後（ステップ１４）、ステップ３に戻る。ビデオミキサー７は、ビデオ信号にサブピクチャ情報をミキシングして出力する。
【００３５】
上記ステップ１１において、現在表示されているサブピクチャ情報の１つ前に表示されるべきSPU （サブピクチャ・ユニット）がメモリ３内に格納されていないと判定した場合には、ＣＰＵ６は、現在表示されているサブピクチャ情報より前のSPU を取得するために、ディスクからのSP＿PCK を読み取りおよびSP＿PCK のデコードを行ない（ステップ１２）、得られたSPU をメモリ３に格納する（ステップ１３）。これらの処理は、メモリ３内に未だ読み出されてないSPU ( 未読み出しSPU ）が、所定数蓄積されるまで、行なわれる。
【００３６】
ステップ１２および１３の処理の具体例について説明する。まず、VOBUを1 つずつ逆方向に戻って、現在表示されているサブピクチャ情報より１つ前のサブピクチャ情報に対するサブピクチャ・パック用VOBU先頭アドレス（図６参照）を検索する。サブピクチャ・パック用VOBU先頭アドレスを見つけると、サブピクチャ・パック用VOBU先頭アドレスまで戻った後、１つのSPU を構成する複数のSP＿PCK を順方向に読み取っていき、読み取ったSP＿PCK をデコードし、得られたSPU をメモリ３に格納する。この後、同様な処理を行なって、今回取得したサブピクチャ情報より１つ前のサブピクチャ情報を取得してメモリ３に格納する。このような処理を、メモリ３内に未だ読み出されてないSPU ( 未読み出しSPU ）が、所定数蓄積されるまで繰り返し行なう。
【００３７】
未読み出しSPU が、所定数蓄積されると、ＣＰＵ６は、次に表示すべきSPU 内のサブピクチャ情報をビデオミキサー７に出力した後（ステップ１０）、ステップ３に戻る。
【００３８】
したがって、サブピクチャ再生モード指定キーが操作された後、左方向（逆方向）カーソルキーが操作される毎に、サブピクチャ情報が逆方向に駒送り表示される。そして、終了キーが操作されると（ステップ６）、今回のサブピクチャ再生モード処理は終了する。
【００３９】
上記実施の形態では、サブピクチャ再生モード指定キーが操作された後、ユーザがカーソルキーを操作する毎に、サブピクチャ情報が駒送りされているが、所定時間毎に自動的にサブピクチャ情報を駒送りさせるようにしてもよい。
【００４０】
つまり、サブピクチャ再生モード指定キーが操作された後、ユーザに再生方向（順方向または逆方向）を指定させる。再生方向が指定されると、表示されているサブピクチャ情報を、再生方向にしたがって、所定時間毎に自動的に切り替える。
【００４１】
【発明の効果】
この発明によれば、サブピクチャ情報を映像・音声とは無関係に再生することができるようになる。
【図面の簡単な説明】
【図１】ディスク再生装置の構成を示すブロック図である。
【図２】サブピクチャ再生モード時のＤＶＤプレーヤの動作を示すフローチャートである。
【図３】メモリ３内に設けられたSPU を格納するための領域を示す模式図である。
【図４】ビットストリームを構成するVOBUを示す模式図である。
【図５】  VOBUの内容を示す模式図である。
【図６】  VOBU内のNV＿PCK の内容を示す模式図である。
【図７】  SPU の構造を示す模式図である。
【符号の説明】
１  ドライブ部
２  ＡＶデコーダ
３  メモリ
４  ユーザインタフェース部
５  オンスクリーン生成部
６  ＣＰＵ
７  ビデオミキサー
【図１】
0004059645.tif 000002
【図２】
0004059645.tif 000003
【図３】
0004059645.tif 000004
【図４】
0004059645.tif 000005
【図５】
0004059645.tif 000006
【図６】
0004059645.tif 000007
【図７】
0004059645.tif 000008